(57)【要約】【課題】アンカーに対して支持面が直角となるよう簡単に調整可能としたアースアンカー用受圧板を提供する。【解決手段】受圧板１０の中心にその上下を貫通してアンカー挿通孔１２を開口し、挿通孔１２の先端部周囲をアンカーの突出端の支持面１６としたアンカー用受圧板において、支持面１６とアンカー頭部を定着する定着具２８との間に、支持面１６をアンカー２０と直交させるべくテーパ状断面の角度調整用座板２４を介在した。【選択図】      図３
2005133510.tif 000002
【特許請求の範囲】
【請求項１】
受圧板の中心にその上下を貫通してアンカー挿通孔を開口し、該アンカー挿通孔の先端部周囲をアンカーの突出端の支持面としたアンカー用受圧板において、
前記支持面と前記アンカー頭部を定着する定着具との間に、前記支持面をアンカーの延長方向と直交させるべくテーパ状断面の角度調整用座板を介在したことを特徴とするアースアンカー用受圧板。
【請求項２】
請求項１において、前記アンカー挿通孔が受圧板の中心にその底面に対して直交して開口されていることを特徴とするアースアンカー用受圧板。
【発明の詳細な説明】
【技術分野】
【０００１】
本発明は、アースアンカー用受圧板に関し、特にアンカーの地盤に対する打設角度に対し、受圧板の受圧面の交叉角度が直角となるように調整可能とした構造に関する。
【背景技術】
【０００２】
グランドアンカー工においては、アンカーが有効な緊張力を得るためには、アンカーと、受圧板の受圧面との交差角は直角とすることが必要である。一方、この種のアンカーは、地滑りの方向、グランドアンカーの効果、定着層などの位置を考慮して、斜面に対して垂直だけでなく、ある程度の傾斜角度をつけて打設する場合がある。
【０００３】
ところで、本発明者等は、図５，６に示されるような円盤状の受圧板を開発した。このような受圧板１において、アンカーが地表面に対して垂直でなく、ある程度の傾斜角度θで打設された場合には、受圧板１の中心を貫通するアンカー挿通孔２がアンカー打設方向と同じ角度となるように傾斜させることにより、挿通孔２の上部側に形成されたアンカー支持面３はアンカー打設方向に対して直角に交わる面となり、これによって、アンカーと受圧板の受圧面（アンカー支持面３）との交差角を直角とすることができる。
【発明の開示】
【発明が解決しようとする課題】
【０００４】
しかしながら、この構造においては、アンカーの地盤に対する打設角度に応じてアンカー挿通孔２の傾斜角度を設定したり、アンカー支持面３の角度をいちいち設定して製作しなければならず、製作工程が煩雑であるだけでなく、量産性に乏しいという問題がある。
【０００５】
また、このような構造とした場合においても、打設する法面の施工に伴う誤差やアンカーの打設角度の誤差、あるいは打設する場所が崖地のような地盤面打設方向とのなす角度が異なる場合には全く適用できなくなり、再調整などの却って面倒な作業が必要となっていた。
【０００６】
本発明は、以上の課題を解決するものであって、その目的は、構造が簡素で量産性に富み、アンカーに対して支持面が直角となるよう簡単に調整可能としたアースアンカー用受圧板を提供するものである。
【課題を解決するための手段】
【０００７】
前記目的を達成するため本発明は、受圧板の中心にその上下を貫通してアンカー挿通孔を開口し、該アンカー挿通孔の先端部周囲をアンカーの突出端の支持面としたアンカー用受圧板において、前記支持面と前記アンカー頭部を定着する定着具との間に、前記支持面をアンカーの延長方向と直交させるべくテーパ状断面の角度調整用座板を介在したことを特徴とするものである。
【０００８】
また、本発明では、前記アンカー挿通孔が受圧板の中心にその底面に対して直交して開口されていることを特徴とする。
【０００９】
なお、本発明において、受圧板の「中心」とは、厳密な意味における中心（例えば、円盤状の受圧板における重心位置）に限定されず、その周囲、すなわち中心付近をも含む概念であり、アンカー挿通孔を開口する位置を中心付近、すなわち厳密な意味における中心から積極的にずらすことによって、受圧板をコンパクトにすることもできる。
【発明の効果】
【００１０】
以上の構成によれば、アンカーの地盤に対する挿通角度が必ずしも直交でなくても、座板の介在により、支持面をアンカーに対して直交させることができる。また、請求項２記載の発明では、受圧板そのものの構造が簡単であり、加工性、量産性に富む。
【発明を実施するための最良の形態】
【００１１】
以下本発明の実施の形態を添付図面を用いて説明する。図１は本発明にかかる受圧板の断面を示す。
【００１２】
図における受圧板１０は、プレキャストコンクリートからなるものである。この受圧板１０の断面はその底面中心よりこれと直角にその上下を貫通するアンカー挿通孔１２を形成し、アンカー挿通孔１２の上部周縁にこれと同心かつ径大な矩形状または円筒形のアンカー頭部収納用凹部１４を形成し、この凹部１４と挿通孔１２との段差部分をアンカー支持面１６としたものである。
【００１３】
また、受圧板１０の平面形状は、図２（ａ）に示すように、従来と同様の円盤状のほかに（ｂ）〜（ｄ）に示すように、矩形状、クロス形、多角形状などその支持圧力分布、斜面配列時における意匠形状などに応じて各種平面形状を選択できるが、いずれにしろその基本断面形状は前記のごとく受圧板１０の底面、すなわち設置面に対して挿通孔１２及び凹部１４が垂直となるように形成され、アンカーの打設角度に依存しないため、製作が簡単で量産性に富むことになる。
【００１４】
以上の受圧板１０の設置手順を図３を用いて説明する。まず同図（ａ）に示すように、アンカー２０は地盤Ｅ内に直角に対して斜面上部側に向けて所定角度θ傾けた状態で打設され、グラウト２１により地盤Ｅ内に固定された場合を示している。
【００１５】
そして、前記受圧板１０はその挿通孔１２にアンカー２０の先端を挿通した状態で斜面上に設置される。
【００１６】
図示のごとくアンカー２０が斜面直交位置に対してある傾斜θをもって打設されている場合には、アンカー頭部は挿通孔１２内で傾いた状態に挿通される。
【００１７】
この状態で、（ｂ）に示すようにアンカー支持面１６上に前記傾斜と同じテーパ角度を持った断面くさび形の座板２４を設置する。この結果座板２４の表面とアンカー２０の頭部との交差角は直角となる。
【００１８】
その後は図３（ｃ）に示すように、座板２４上に座金２６を配置し、座金２６より突出するアンカー２０の頭部に定着材２８を取付け、これを締め上げることでアンカー２０を緊張状態に定着すれば、設置工事が終了する。
【００１９】
定着板１０の傾斜方向は、例えば図４に示すように、アンカー２０の傾斜θが前記とは逆に斜面下方側に向けて傾斜していてもその方向にあわせて設置することでき、またアンカー２０がいずれの傾斜角度であっても座板２４のテーパ角度をそれに応じて設定することにより、直交するように適合できる。
【００２０】
図５は、前述する従来の傾斜を持った挿通孔２を備えた受圧板１に適合した場合を示すものであり、この場合において、アンカー２０は斜面に対して直交して打設されているのに対し、挿通孔２が傾斜している点が前記とは異なるが、この位置に挿通孔２の傾斜角度に等しいテーパ角度の座板２４を介在させることで、非直交による不具合が解消される。  本実施形態では、既存の傾斜する挿通孔を備えた受圧板にも適合でき、またこのような受圧板を用いた場合において、アンカーの打設角度に誤差が生じても容易に対応できる。
【図面の簡単な説明】
【００２１】
【図１】本発明にかかる受圧板の断面図である。
【図２】（ａ）〜（ｄ）は同受圧板の平面図である。
【図３】（ａ）〜（ｃ）は同受圧板を用いた設置手順の一例を示す断面図である。
【図４】異なる角度の場合に適合した例を示す断面図である。
【図５】従来のアンカー打設角度対応形受圧板に本発明を適合した場合を示す断面図である。
【図６】従来の打設角度対応型受圧板の断面図である。
【図７】同一部破断斜視図である。
【符号の説明】
【００２２】
１，１０  受圧板
２，１２  アンカー挿通孔
３，１６  アンカー支持面  
２０  アンカー
２４  角度調整用座板
２８  定着材
【図１】
2005133510.tif 000003
【図２】
2005133510.tif 000004
【図３】
2005133510.tif 000005
【図４】
2005133510.tif 000006
【図５】
2005133510.tif 000007
【図６】
2005133510.tif 000008
【図７】
2005133510.tif 000009